(57)【要約】      （修正有）【課題】機構と利用者の操作が簡単で、繰り返し操作、稼働が可能で、且つ、ベッド等の加重装備を要せず、部品点数が少なく低コストで供し、利用者による操作が優しく、負担の少ない操作ができる腰椎牽引機を提供する。【解決手段】枠板２内部上面に裏面に鋼球付きの滑面を形成した可動板９を載置し、該可動板９上面に形成した凹部に利用者の腰部を載置して該可動板９で腰椎を牽引する腰椎牽引機であり、前記可動板９に固着したワイヤＷを介して前記枠板２の枠に立設した支軸８を回動する可動レバー１３を梃子としてワイヤＷを引張り、前記可動板９を利用者Ｍ共々下肢方向に移動させて、腰椎を牽引する。【選択図】図６
2015136429.tif 000002
【特許請求の範囲】
【請求項１】
底板の上に四周に枠を形成した枠板を設け、前記枠内の板上に可動板を載置し、利用者の腰部を前記可動板で牽引する腰椎牽引機において、
前記可動板の上面の前部及び後部に所望厚の板厚部を設けて中央部に凹部を形成し、且つ、前記可動板の裏面に複数個の鋼球を設け、
前記可動板に固着したワイヤを介して、前記枠に立設したレバー支軸を回動する可動レバーを梃子として、前記可動板に固着したワイヤを伸長させて、前記可動板を利用者の下肢方向に移動させ、底板に設けたラックギアと可動レバーに設けたストッパボルトの咬合によってワイヤの伸長状態を維持することを通じて利用者の腰椎を牽引することを特徴とする腰椎牽引機。
【発明の詳細な説明】
【技術分野】
【０００１】
本発明は、腰椎牽引機に関するものであり、特に、腰部を載置した可動板を腰部と共にスライドさせて、腰部の脊椎等の歪みを伸長させつつ、矯正する腰椎牽引機に関するものである。
【背景技術】
【０００２】
腰椎を始めとする人間の脊椎が神経系統の中枢を司るところ、曲がりを矯正して健全にして健康な骨格を形成するには、腰椎等の骨格組織の正常な在り方、態様を維持するということが肝要であり、斯かる観点に照らし腰椎等の骨組織の健全性を維持することが重要な健康上の問題となっている。
【０００３】
特に、人口構成の高年齢化に伴い、加齢による骨盤部における腰椎のズレに起因して発生する腰痛を軽減除去することは、極めて重要な事柄となっている。
更に、昨今は、コンピュータ操作や、ワープロによる文字入力等の作業が多く、姿勢の悪い状況下でのデスクワークや、運動不足等が伴い、屈曲した骨や、腰椎のズレ等を治癒することが、要請されてきているという状況である。
【０００４】
また、腰痛を治癒するべく整骨院等の骨盤歪み矯正機関に通ってせっかく直しても、基に戻ってしまい、十分な治癒効果の実績が上がらず、非能率であると言える。
【０００５】
今、可及的には、腰痛治療、腰椎矯正に関し、医療機関を離れて各家庭においても、簡単な機構で、各利用者が簡単に操作ができ、繰り返しの操作を通じて、腰椎を始めとする腰部の骨を伸長させて、効率良く矯正治療の効率を上げるための機具の提供が渇望されている状況に存するということができる。
【０００６】
従来腰椎の伸長や矯正に関して、ベッド上に水平状態に横たわって利用者の下半身を牽引するストレッチャーであって、ストレッチ時に利用者の上半身が牽引方向に移動するのを阻止する上半身移動阻止部材と、利用者の下半身と該下半身が接触する下半身接触面との間の摩擦力を低減する摩擦力低減部材と、前記摩擦力低減部材上に前記下半身の少なくとも一部が載置され、前記上半身が上半身移動阻止部材により保持された状態で、前記下半身に牽引力を付与する牽引力付与機構とを備えたストレッチャーが存する。一例として、［特許文献１］の実用新案登録第３１８０６３７号公報に記載のものが、存する。
【発明の概要】
【発明が解決しようとする課題】
【０００７】
しかしながら、斯かる従来技術は、ベッドに付設される構成を採るところ、装置の機構が重層加重で煩雑であり、そのストレッチに当たり利用者の上半身を上半身阻止部材で保持した上で、下肢を所要の仰角と所要の高さに維持して牽引力付与機構に連結させるものであって、利用者が下肢のエクササイズを行うに当たり負担が掛かると共に、牽引力付与機構の部品点数も多いという技術上の問題点が生じていた。
【０００８】
また、利用者の下半身のエクササイズに相応の時間と利用者の下半身に対する過重な負担も掛かり、利用者にとって、該従来例でのエクササイズには、かなりハードであることも危惧されるところである。
【０００９】
そこで、腰痛を解消し、腰椎を伸長することができるように腰椎を牽引するにあたり、持ち運びできる簡単な機構で、矯正に係る利用者の操作が簡単で、繰り返し操作、稼働が可能で、且つ、部品点数が少なく低コストで供し、利用者による操作を行うにつき優しく、負担のない操作ができる腰椎牽引機を提供するために、解決するべき技術的課題が生じてくるものであり、本発明は、斯かる技術上の課題を、解決することを目的とするものである。
【課題を解決するための手段】
【００１０】
本発明は、上記目的を達成するために提案されたものであり、
底板の上に四周に枠を形成した枠板を設け、前記枠内の板上に可動板を載置し、利用者の腰部を前記可動板で牽引する腰椎牽引機において、
前記可動板の上面の前部及び後部に所望厚の板厚部を設けて中央部に凹部を形成し、且つ、前記可動板の裏面に複数個の鋼球を設け、
前記可動板に固着したワイヤを介して、前記枠に立設したレバー支軸を回動する可動レバーを梃子として、前記可動板に固着したワイヤを伸長させて、前記可動板を利用者の下肢方向に移動させ、底板に設けたラックギアと可動レバーに設けたストッパボルトの咬合によってワイヤの伸長状態を維持することを通じて利用者の腰椎を牽引することを特徴とする腰椎牽引機を提供するものである。
【発明の効果】
【００１１】
この発明の構成によれば、利用者自身で上記可動板に固着したワイヤを介して前記枠に立設した支軸を回動するレバーを梃子として、前記可動板を利用者の下肢方向に移動させるのみで、前記可動板の移動に伴い施用者の腰部を伸長させる力が誘われる。
【００１２】
本発明は、上記枠板上をスライドする可動板を、該可動板に固着したワイヤを介して前記枠に立設したレバー支軸を回動する可動レバーを梃子として、前記可動板を利用者の下肢方向に移動させるという単純な操作だけで利用者の腰椎を牽引することができるから、軽量簡易な機構であり、操作が容易にして、利用者に格別の負担を強いることなく、低コストで腰椎の矯正を行うことができる。
【００１３】
また、本発明は、ベッドと一体性であることを要しないから、重層な装備は必要としておらず、家庭内等、何処でも、何時でも、繰り返し腰部の矯正操作を行うことが可能であるから、省資源、省スペース、低コストに資すると共に、整骨院等所望の医療機関に通院する手間と時間が省かれるので、簡易な機構でありながら、腰痛に悩む人間にとって、きわめて有用性の高い便益をもたらすことができるものである。
【図面の簡単な説明】
【００１４】
【図１】は、本発明の腰椎牽引機の底板を示し、（ａ）は側面図、（ｂ）は上面図を示す。
【図２】は、本発明の腰椎牽引機の枠板を示し、（ａ）は側面図、（ｂ）は上面図を示す。
【図３】は、本発明の腰椎牽引機の可動板を示し、（ａ）は側面図、（ｂ）は上面図、（ｃ）は裏面図、（ｄ）は短手方向からみた側面図を示す。
【図４】は、本発明の腰椎牽引機の逆Ｌ字形の可動レバーを示し、（ａ）は上面図、（ｂ）は短手の肢方向からみた側面図を示す。
【図５】は、枠板、可動板、可動レバー相互を連携した可動板の動きを示すための上面から見た図。
【図６】は、枠板、可動板、可動レバー相互を連携した可動板の動きと利用者の利用態様を示す上面図を示す。
【発明を実施するための形態】
【００１５】
本発明は、持ち運びできる簡単な機構で、矯正に係る利用者の操作が簡単で、繰り返し稼働が可能で、且つ、部品点数が少なく低コストで供し、利用者による操作を行うにつき優しく、負担のない操作ができる腰椎牽引機を提供するためという目的を実現するために、
底板の上に四周に枠を形成した枠板を設け、前記枠内の板上に可動板を載置し、利用者の腰部を前記可動板で牽引する腰椎牽引機において、
前記可動板の上面の前部及び後部に所望厚の板厚部を設けて中央部に凹部を形成し、且つ、前記可動板の裏面に複数個の鋼球を設け、
前記可動板に固着したワイヤを介して、前記枠に立設したレバー支軸を回動する可動レバーを梃子として、前記可動板に固着したワイヤを伸長させて、前記可動板を利用者の下肢方向に移動させ、底板に設けたラックギアと可動レバーに設けたストッパボルトの咬合によってワイヤの伸長状態を維持することを通じて利用者の腰椎を牽引する腰椎牽引機を提供することによって実現した。
【実施例】
【００１６】
本願発明の実施形態につき、図面を参照しながら詳述することとする。
図１は、本発明の腰椎牽引機の底板１を示し、該底板１は、本発明の腰椎牽引機の下部における基板をなす板体であって、後に記述する枠板を中央部で支える基盤部を形成するものである。この底板１は、利用者の身体方向に直角の方向に横長に形成された矩形状態を形成している。この底板１の材質は特に拘らないが、合板で形成すると丈夫で扱いが便宜である。
【００１７】
図２は、本発明の腰椎牽引機の枠板２を示し、前記底板１の横長を呈していり中央部の上に載置固定するもので、後に記述する可動板を受容する基盤部を形成する板体２である。前記底板１上において、利用者の身体方向の短い辺とこの辺の方向と直交する方向に長く形成された辺とで矩形状態を形成している。該枠板２は、短手方向の両縁部の枠３，６並びに長手方向の両縁部の枠４，５が形成されており、後述する可動板を受容し、かつ、該可動板の動きを規制する役割を担うものである。前述した利用者の身体に直交する方向の前後端縁部に形成された枠４，５は、利用者の右先端側端部が夫々内側方向に短かく伸びて略逆Ｌ字型、Ｌ字型を呈している。図中、７，７，７，７は、これ等枠に設けられた滑車であって、後述する可動板を動かすワイヤの滑動を円滑に促すガイドとなるものである。図中８は、該枠板２の利用者の右側側方の端縁部の枠６の前後方向中央部に設置されて、可動板を牽引するための後述する可動レバーの回動支点となるレバー支軸である。
【００１８】
前記枠板２も、材質は特に拘らないが、合板で形成すると丈夫で扱いが便宜である。なお、該枠板２の内部表面に硬い当板（例、ステンレス製板）を載置しておくと、次に記述する可動板の滑動を一層円滑にすることができる。
【００１９】
図３は、本発明の腰椎牽引機の可動板９を示し、前記底板１上に載置固定した枠板２の枠３，４，５，６に囲まれた板体内に設置されて、利用者の身体の前後方向に滑り移動させるための可動板９であって、腰部を伸長させる機構を担っているものである。
【００２０】
図３中、９ａは可動板９の上面前方部に形成された板厚部であり、９ｂは、可動板９の上面後方部に形成された板厚部であり、９ａは、これ等両板厚部間に形成された可動板上面中央部の凹部である。該凹部９ａに利用者の臀部が程好く載置され、可動板９の可動に伴い、利用者の身体をともども前方に移動させることができるように突出した臀部を受容することができるようになっている。
【００２１】
図３中、１０，１０、……は鋼球であり、該可動板９の裏面に埋設された鋼球受座金１１に抱持されて、可動板９の裏面から該鋼球１０、１０、…の滑動部分がやや突出して枠板２底面をスライドできるようになっている。斯くして、可動板９が、枠板２の上を円滑に前後動することができるように形成されている。前記鋼球１０．１０、…の配列と該鋼球１０，１０、…の数は、図示の態様に拘らず、任意の形態、数で対処してかまわない。
【００２２】
同図３中において示す如く、可動板９には、後述するワイヤを取付け固定するためのワイヤ固着部１２ａ、１２ｂが該可動板９の先方、後方端縁夫々の略中央部に形成されている。斯くして、後述する可動レバーの作動に伴って前記可動板９が可動レバーとワイヤによって牽引されて、可動板９が枠板２面上において利用者の腰部を下肢方向へ移動するように誘導することとなる。
【００２３】
図４は、本発明の腰椎牽引機の可動レバー１３を、示すものであり、平面視略逆Ｌ字型に形成されており、上記枠板２の右縁側の枠６の中央部に立設されたレバー支軸８を回動の要として回動するものである。従って、該可動レバー１３の逆Ｌ字型の長手の肢先端部に形成された摘みボルト１４又は、逆Ｌ字型の短手の肢先端部に形成された摘みボルト１５を以って、該可動レバー１３を回動せしめることを通じてワイヤＷによって牽引されて、上記可動板９が前後動することとなる。即ち、可動レバー１３の回動を通じてワイヤＷが滑車４，４…を介して前記可動板９に対する動きを誘発する駆動の源を生起させることとなる。
【００２４】
同図４中、ワイヤＷを受ける貫通ワイヤ受１６が、前記可動レバー１３の逆Ｌ字状の長手部分の裏面中央部に形成されており、可動レバー１３の回動によりワイヤＷを受けてワイヤＷを介して前記可動板９を移動せしめる起因力となるものである。
【００２５】
同図４中、ワイヤＷは、可動レバー１３をそのレバー支軸８を回動中心として回動せしめたとき貫通ワイヤ受１６が、ワイヤＷを引張りその結果、ワイヤＷを固定係着したワイヤ固着部を通じて、可動板９に前後動の起動力を付与し、該可動板９を滑動移動させる。
【００２６】
４図中、１８は、後述するラックギアに咬合して前記ワイヤＷの伸長状況を維持するためのストッパボルトで、可動レバー１３の長手の肢に設けられ、該ストッパボルト１８を抱持するバネに抗して昇降動自在に応動できる。該ストッパボルト１８の先端にはテーパが形成されており前記ラックギアに対してラチェット機能を有してワイヤの引張りを維持するものである。同図中１９は、ラック解除レバーであり、前記ストッパボルト１８を上方へ引き上げて前記ラックギアと該ストッパボルト１８との咬合を解除する。即ち、ラック解除レバー１９の先端が、該解除レバー１９のシーソー形式で回動する回動の要を中心とする梃子の原理で該解除レバーの先端にあるストッパボルト１８を上方に上げて、前記ラックギアとストッパボルト１８との咬合を解除する。
【００２７】
図５は、稼動レバー１３によってワイヤＷを引っ張り、以って、可動板９を利用者の身体共共下肢方向に移動する態様を説明する平面図である。同図５中、ワイヤＷは、可動レバー１３をそのレバー支軸８を回動中心として回動せしめるに当たり、前記摘みボルト１４（又は１５）を以って、レバー支軸８を支点として後方（手前側）に回動せしめると、前記ワイヤ受１６が、ワイヤＷを後方側（手前側）に引張り、その結果、梃子の原理でワイヤＷに引張りが生じ、前記ワイヤＷを４個の滑車７，７を介して、固定係着した固着部１２ａ，１２ｂを通じて、可動板９に前方（下肢側）に移動させる起因力を付与させることとなる。その結果、前記可動板９は、前記枠板２面上を前方（下肢側）に滑動して、利用者Ｍの下肢方向に移動することとなる。
【００２８】
その際、前記可動板９の表面の後方板厚部９ａ（手前側板厚部）と前方板厚部９ｂ（下肢側板厚部）間に形成された凹部９Ｃに利用者の臀部が程好くはまり込んでいるので、可動板９の下肢側への滑動に伴い、利用者の腰椎の牽引が誘導がなされることとなる。該可動板２の移動量は、大約３０ｍｍ〜９０ｍｍであり、その結果、利用者の腰椎２おいては、数ｍｍの牽引、伸長が期待されるものである。
【００２９】
他方、上記可動板９の前方移動状況下で、該可動板９を後方（手前側）に移動して戻したいときは、前記ラック解除レバー１９によって前記ストッパボルト１８を上げて、ラックギア１７（後述するがラックギア、即ち歯板は、１７で図示）と該ストッパボルト１８との咬合を解除することを通じて、自ずと、ワイヤＷの引張りを戻すか、前記摘みボルト１５（又は１４）を以って、前記レバー支軸８を回動の要として、該可動レバー１３を前方（下肢側）に回動させると、可動レバー１３の長さを以って梃子の原理でワイヤＷに貫通ワイヤ受け１６によってワイヤＷを前方に伸長する起因力が発生し、その結果、ワイヤＷを係着固設した固着部１２ａ，１２ｂを通じてワイヤＷを介して後方（手前側）への引張り力が生じ、可動板９が、利用者Ｍの手前側（下肢と反対側）に移動し、以前の位置に戻すことができる。以後、これ等の操作の繰返しを通じて何度でも可動板９の前後動の操作を繰返継続することが可能である。
【００３０】
ワイヤＷは、可動レバー１３の回動を通じて何度も該可動レバー１３のモーメントを以って伸長・牽引せられるものであるところ、柔軟性と強靭で応力に耐える素材であることを必要とするものであるから、例えば、直径φ１．７ｍｍ位のステンレスワイヤ等を以って充当すると良い。
【００３１】
図５中、前後するが、１７は、底板１に設けられたラックギア（歯板）である。ラックギア１７は、前記可動レバー１３にて回動伸長せしめて引張ったワイヤＷを当該引張った箇所で停止する歯止ラックである。より詳細には、該ラックギア１７に、前記ストッパボルト１８の先端（テーパ付）を咬合させて、ワイヤＷを引張った箇所で引張りを維持ストップさせる機能を有する。前記したとおり、該ワイヤＷの引張り状況を解除するには、ラック解除レバー１９の梃子の原理で、前記ストッパボルト１８を上方に引上げることで、ラックギア１７との咬合を解除することを通じて行う。
【００３２】
前後するが、滑車７，７，７，７の作動について言及するに、滑車７，７，……は、ワイヤＷに沿って円滑に滑動し、ワイヤＷの伸長力を前記可動板９の前後動がスムーズに稼動するようにガイドするものである。そして、その際、可動板９が円滑に滑動できるのは、該可動板９の裏面に設けられた複数個の鋼球１０，１０、…がベアリング球の役目を果たし、前記枠板２の内側の板表面において自由闊達な前後動を誘導することとなるからである。
【００３３】
即ち、可動レバー１３による可動レバーの長さによる梃子の原理とワイヤに掛けた滑車の持つ抵抗のない滑性並びに可動板９の裏面に設けられた複数個の鋼球１０，１０、…の持つ円滑な滑り性能が相俟って、可動板９が、利用者Ｍの腰部を載置してもスムーズに移動することを可能とするものである。
【００３４】
尚、上記可動板９の上部に、該可動板９と縦横の大きさを同寸とする上板を載置固定し、該上板の中央部に凹部を形成し該凹部の前後にゴム等でできた粗面を形成する凸状板厚部を設けると、利用者Ｍの腰部を確実に該可動板９にフィットさせることができ、一層効果的に利用者Ｍの腰部を移動させつつ腰椎を牽引せしめる実を上げることができる。
【００３５】
図６は、本発明の底板１、腰椎牽引機の枠板２、可動板９、可動レバー１３の相互を連携した可動板９の動きと利用者Ｍの利用態様を示す可動レバー１３部分の動きを示す上面図である。図中、利用者Ｍが最上部に存する関係上、他の部材が若干見え難いが、可動レバー１３を回動した結果、利用者の腰椎部に牽引作用が及ぶ態様の概略を示すものである。
【００３６】
図６において、可動レバー１３を以って、ワイヤＷを引張った際、当該引張った箇所においてワイヤＷの引張りを存続させるために、底板１にラックギア１７が設けられており、該ラックギア１７に可動レバー１３に設けたストッパボルト１８の先端テーパ部を咬合させて、ワイヤＷの伸長状態を維持するものである。なお，該ラックギア１７とストッパボルト１８の先端の咬合を解除するには、前述のとおり可動レバー１３に設けたラック解除レバー１９にて、解除する。即ち、前記のとおり、ラック解除レバー１９の中央部の回動の要を中心にシーソー形式に回動してストッパボルト１８を上昇させてラック解除を実現する。
【００３７】
更にまた、図６において示す如く、本願発明の腰椎牽引機の底板１に付設して、別途、背中当て板２０を、前記底板１の利用者Ｍの背中側端部に複数個の蝶番を介して取り付けると、一層、利用者Ｍの利用を快適にするという便益をもたらすことができる。また、前記背中当て板２０は、蝶番、即ち、ヒンジを以って付設するから、不使用時においては、該背中当て板を本体側に折り込むことによって、コンパクトに収納することができる。
【００３８】
以上のとおり、本発明の腰椎牽引機によれば、重層加重なベッドを離れた、簡易な機構で、利用者による操作が容易にでき、低コストで以って、所望の腰部の歪みと腰痛を矯正し、腰椎の牽引を達成し、腰痛に悩む高齢者の治癒や、病後のリハビリの支援策等に、多大の有用性をもたらすことできる。
【先行技術文献】
【特許文献】
【００３９】
【特許文献１】実用新案登録第３１８０６３７号公報
【符号の説明】
【００４０】
１        底板
２        枠板
３        枠板の枠（左端縁部）
４        枠板の枠（先端縁部）
５        枠板の枠（後端縁部）
６        枠板の枠（右端縁部）
７        滑車
８        レバー支軸
９        可動板
９ａ      可動板後方板厚部（手前側板厚部）
９ｂ      可動板前方板厚部（下肢側板厚部）
９ｃ      可動板中央凹部
１０      鋼球
１１      鋼球受け座金
１２ａ    ワイヤ固着部
１２ｂ    ワイヤ固着部
１３      可動レバー
１４，１５  摘みボルト
１６      貫通ワイヤ受け
１７      ラックギア
１８      ストッパボルト
１９      ラック解除レバー
２０      背中当て板
Ｗ      ワイヤ
【図１】
2015136429.tif 000003
【図２】
2015136429.tif 000004
【図３】
2015136429.tif 000005
【図４】
2015136429.tif 000006
【図５】
2015136429.tif 000007
【図６】
2015136429.tif 000008